(57)【要約】【課題】  簡素な製造工程により構成でき、しかも高い強度を有する面構成体を得る。【解決手段】  多数の長尺材１が並列配置され、隣接する長尺材１の対向する面に形成された溝１７に、間隙を埋める接続材１９が挿入されている。長尺材１の長手方向両端の裏側には、長尺材１の配列方向に延びる連結材３が締結されている。連結材３には、長尺材１の配列方向に沿った溝１１が形成されている。溝１１は、長尺材１の長手方向に沿った連結材３の端面に開口するように形成されている。長尺材１に近い方の溝１１の側壁面に沿うように、雌ねじ部材１３が配置されている。雌ねじ部材１３には、各長尺材１に対応して、ねじ孔が形成されている。各長尺材１の表側から挿入されたボルト１５が、雌ねじ部材１３のねじ孔に螺合することにより、連結材３が各長尺材１に締結されている。【選択図】  図３
2013047411.tif 000002
【特許請求の範囲】
【請求項１】
複数の長尺材が並列配置され、隣接する長尺材同士の互いに向き合う両側面に長手方向に沿って形成された第１溝に、前記長尺材同士の間隙を埋める接続材が挿入されることにより、面を構成する面構成体であって、
前記複数の長尺材の配列方向に延びる２本の連結材が、前記複数の長尺材の長手方向両端部の裏側にそれぞれ配置されており、
前記配列方向に延び、前記複数の長尺材に対応する雌ねじを有する雌ねじ部材が、前記２本の連結材の各々の裏側からある深さの部位に配置されており、
前記複数の長尺材の各々の長手方向両端部の表側から、締結ねじが挿通され、前記雌ねじ部材の前記雌ねじに螺合することにより、前記２本の連結材が前記複数の長尺材に締結されており、
前記雌ねじ部材は、２以上の長尺材に跨って連続している、面構成体。
【請求項２】
前記複数の長尺材の各々の長手方向両端からある長さに渡り、裏側からある深さを有する第１切欠が形成されており、
前記配列方向に延びる前記２本の連結材が、前記複数の長尺材の長手方向両端部の前記第１切欠に、それぞれ配置されている、請求項１に記載の面構成体。
【請求項３】
前記締結ねじの頭部は、前記複数の長尺材の各々の長手方向両端部の表側からある深さに位置している、請求項１又は２に記載の面構成体。
【請求項４】
前記２本の連結材のうち少なくとも１本の連結材には、前記配列方向に沿った第２溝が形成されており、当該第２溝に前記雌ねじ部材が配置されている、請求項１ないし３の何れかに記載の面構成体。
【請求項５】
前記少なくとも１本の連結材の前記第２溝は、前記長尺材長手方向に沿った前記連結材の端面に開口している、請求項４に記載の面構成体。
【請求項６】
前記少なくとも１本の連結材の前記第２溝に配置される雌ねじ部材は、当該第２溝の開口部から外方へ延在しており、当該延在する部分にも、雌ねじが形成されている、請求項５に記載の面構成体。
【請求項７】
請求項６に記載の面構成体であって、
当該面構成体を第１の面構成体として第２の面構成体をさらに備え、
当該第２の面構成体は、請求項５に記載の面構成体であり、
前記第１及び第２の面構成体は、各々の前記第２溝の前記開口部が向き合うように、互いに接し合って配置され、かつ前記第１の面構成体の前記雌ねじ部材のうちの前記延在する部分を、前記第２の面構成体の前記雌ねじ部材とすることにより、互いに締結されている面構成体。
【請求項８】
前記少なくとも１本の連結材の前記第２溝は、前記長尺材の長手方向中央部を向く前記連結材の端面に開口しており、
前記少なくとも１本の連結材には、前記配列方向に沿い、裏側に開口する第３溝が、前記第２溝と連通しないように形成されており、前記長尺材の前記長手方向に沿った前記少なくとも１本の連結材の端面から前記第３溝に達する締結ねじ挿通用の複数の穴が、前記配列方向に間隔をおいて形成されている、請求項４に記載の面構成体。
【請求項９】
請求項８に記載の面構成体であって、
当該面構成体を第１の面構成体として、第２の面構成体をさらに備え、
当該第２の面構成体は、請求項８に記載の面構成体であり、
前記第１及び第２の面構成体は、前記第１の面構成体の前記第３溝を有する連結材を、同時に前記第２の面構成体の連結材とするように、互いに共有し、かつ前記第１の面構成体の前記第３溝を前記第２の面構成体の前記第２溝とすることにより、互いに締結されている面構成体。
【請求項１０】
前記２本の連結材のうち少なくとも１本の連結材に配置された前記雌ねじ部材は、前記複数の長尺材の全てに跨って連続している、請求項１ないし９の何れかに記載の面構成体。
【請求項１１】
前記複数の長尺材の各々の両端部の表側には、第２切欠又は第４溝が形成されており、それにより前記締結ねじの頭部が前記表側からある深さに位置している、請求項１ないし１０の何れかに記載の面構成体。
【請求項１２】
前記配列方向に沿った前記２本の連結材の両端面の少なくとも一方に配置され、前記２本の連結材の一方から他方まで延びる長尺の構造材を、さらに備え、
前記雌ねじ部材は、前記連結材から前記構造材へ延びた延長部分であって、前記構造材の裏側からある深さの部位に配置される延長部分を有し、当該延長部分にも雌ねじが形成されており、
前記構造材は、当該構造材の表側から挿通された別の締結ねじが前記雌ねじ部材の前記延長部分の前記雌ねじに螺合することにより、前記延長部分に締結されている、請求項１ないし１１の何れかに記載の面構成体。
【請求項１３】
前記締結ねじの頭部から前記雌ねじ部材に至る部材の境界面のうち、少なくとも１つの境界面に、第１弾性緩衝材が介挿されている、請求項１ないし１２の何れかに記載の面構成体。
【請求項１４】
前記２本の連結材のうち少なくとも１本の連結材と、前記複数の長尺材との間の境界面であって、前記長手方向に交差する境界面に、第２弾性緩衝材が介挿されている、請求項２に記載の面構成体。
【請求項１５】
前記複数の長尺材の各々の両端部に形成された前記第１切欠は、前記第１溝の前記裏側に近い側壁面に達している、請求項２又は１４に記載の面構成体。
【請求項１６】
前記各接続材は、両側端に接続される長尺材の第１溝の開口縁部に当接しつつ沿うように、表裏のうちの双方に突出する突出部を有する、請求項１ないし１４の何れかに記載の面構成体。
【請求項１７】
前記各接続材は、両側端に接続される長尺材の第１溝の開口縁部に当接しつつ沿うように、表裏のうち少なくとも裏側に突出する突出部を有しており、当該裏側に突出した突出部は、両側端に接続される長尺材との間の間隙を埋めつつ、前記長手方向の両端部において、前記２本の連結材に達する位置まで延びている、請求項１ないし１４の何れかに記載の面構成体。
【請求項１８】
各接続材が、両側端に接続される長尺材の第１溝の外部に露出する部分において、前記長手方向から見て屈曲ないし湾曲した伸縮部を有する、請求項１ないし１６の何れかに記載の面構成体。
【請求項１９】
前記各接続材は、両側端に接続される長尺材の第１溝への挿入を可能にすると共に逆戻りを制止する戻り止めを有する、請求項１ないし１８の何れかに記載の面構成体。
【請求項２０】
前記各接続材は、両側端に接続される長尺材の第１溝の側壁面に対向する当該接続材の表面に後退部を有し、前記第１溝の側壁面に接着剤又はシール剤が固着しており、当該接着剤又はシール剤が前記後退部に侵入している、請求項１ないし１８の何れかに記載の面構成体。
【請求項２１】
複数の長尺材が並列配置され、隣接する長尺材同士の互いに向き合う両側面に長手方向に沿って形成された溝に、前記長尺材同士の間隙を埋める接続材が挿入されることにより、面を構成する面構成体であって、
前記各接続材は、両側端に接続される長尺材の溝の開口縁部に当接しつつ沿うように、表裏のうちの双方に突出する突出部を有する面構成体。
【請求項２２】
複数の長尺材が並列配置され、隣接する長尺材同士の互いに向き合う両側面に長手方向に沿って形成された溝に、前記長尺材同士の間隙を埋める接続材が挿入されることにより、面を構成する面構成体であって、
前記複数の長尺材の配列方向に延びる２本の連結材が、前記複数の長尺材の長手方向両端部の裏側にそれぞれ締結されており、
前記各接続材は、両側端に接続される長尺材の前記溝の開口縁部に当接しつつ沿うように、表裏のうち少なくとも裏側に突出する突出部を有しており、当該裏側に突出した突出部は、両側端に接続される長尺材との間の間隙を埋めつつ、前記長手方向の両端部において、前記２本の連結材に達する位置まで延びている面構成体。
【請求項２３】
複数の長尺材が並列配置され、隣接する長尺材同士の互いに向き合う両側面に長手方向に沿って形成された溝に、前記長尺材同士の間隙を埋める接続材が挿入されることにより、面を構成する面構成体であって、
各接続材が、両側端に接続される長尺材の溝の外部に露出する部分において、前記長手方向から見て屈曲ないし湾曲した伸縮部を有する面構成体。
【請求項２４】
複数の長尺材が並列配置され、隣接する長尺材同士の互いに向き合う両側面に長手方向に沿って形成された溝に、前記長尺材同士の間隙を埋める接続材が挿入されることにより、面を構成する面構成体であって、
各接続材は、両側端に接続される長尺材の溝への挿入を可能にすると共に逆戻りを制止する戻り止めを有する面構成体。
【請求項２５】
複数の長尺材が並列配置され、隣接する長尺材同士の互いに向き合う両側面に長手方向に沿って形成された溝に、前記長尺材同士の間隙を埋める接続材が挿入されることにより、面を構成する面構成体であって、
前記各接続材は、両側端に接続される長尺材の第１溝の側壁面に対向する当該接続材の表面に後退部を有し、前記第１溝の側壁面に接着剤又はシール剤が固着しており、当該接着剤又はシール剤が前記後退部に侵入している面構成体。
【請求項２６】
複数の長尺材が並列配置され、隣接する長尺材同士の互いに向き合う両側面に長手方向に沿って形成された溝に、前記長尺材同士の間隙を埋める接続材が挿入されることにより、面を構成する面構成体であって、
前記配列方向に延びる２本の金属製の連結材が、前記複数の長尺材の長手方向両端部にそれぞれ配置されており、
前記複数の長尺材の各々の長手方向両端部の表側から、締結ねじが挿通されており、
前記締結ねじが、前記２本の連結材に形成された雌ねじに螺合することにより、前記２本の連結材が前記複数の長尺材に締結されている、面構成体。
【請求項２７】
請求項１ないし２６の何れかに記載の面構成体が、壁、床及び屋根の少なくとも一つの少なくとも一部に使用されている建築物。
【発明の詳細な説明】
【技術分野】
【０００１】
本発明は、建築物の壁面等への利用に好適な面構成体、及び当該面構成体を用いた建築物に関する。
【背景技術】
【０００２】
近年、山林の保守が適切に行われていないことが、土砂崩れなどの災害の原因の一つであることが改めて認識されるようになっている。そのため、山林の間伐を行う必要性が強く認識されているが、大量の間伐材を経済的に成り立つように利用するシステムがないため、間伐を行う人件費を賄うことができず、その結果間伐が十分に行われていない山林が増え、間伐されてもそのまま放置されていることが多いという現実があり、間伐材の有効利用分野の開拓が要請されている。
【０００３】
そこで、間伐材を使用して建築用パネルを構成することが考えられている。すなわち、複数の間伐材の外周面に長手方向に沿って板状の接続材を嵌め込む溝を直径方向に一対設け、間伐材の溝に接続材を嵌め込むとともに接着剤や釘や木ねじにて固定し、次いでその接続材に次の間伐材の溝を嵌め込むとともにこの次の間伐材から接続材を貫通して先の間伐材まで達する釘や木ねじにて固定するという構成を繰り返すことで、複数の間伐材が並列配置されるとともに接続材にて相互に接続してなる建築用パネルが提案されている。さらに、この建築用パネルの間伐材配列方向の強度を確保するため、両端に雄ねじを形成した鉄筋やボルトを各間伐材を貫通させて配設し、両端の雄ねじにナットを螺合して両端間を締結固定したものが提案されている（以上、特許文献１参照）。
【０００４】
しかし、この従来技術は、間伐材と接続材を接着剤や釘や木ねじにて固定し、さらに次の間伐材から接続材を貫通して先の間伐材まで達する釘や木ねじにて固定する接続作業に手間を要するという問題点があった。しかも、そのように接続しても間伐材の配列方向にパネルとしての強度を確保するのは困難であるという問題があった。またパネルを横断する方向に貫通する鉄筋やボルトにて締結する構成では、パネルの製造工数とコストがさらに大きくなってしまうという問題があった。また、木材は年月と共に乾燥が進行することにより、収縮する性質がある。そのために、永年月の間には、間伐材と接続材との間に間隙が生じ、その結果、パネルの気密性が保たれなくなる恐れがある、という問題点があった。すなわち、耐久性上の問題点があった。
【先行技術文献】
【特許文献】
【０００５】
【特許文献１】特開２００７−４００６８号公報
【発明の概要】
【発明が解決しようとする課題】
【０００６】
本発明は上記の問題点に鑑みてなされたもので、簡素な製造工程により構成でき、しかも高い強度を有する面構成体、及び当該面構成体を用いた建築物を提供することを目的とする。本発明はさらに、耐久性に優れる面構成体、及び当該面構成体を用いた建築物を提供することを目的とする。
【課題を解決するための手段】
【０００７】
上記課題を解決し上記目的を達成するために、本発明のうち第１の態様に係るものは、面構成体であって、複数の長尺材が並列配置され、隣接する長尺材同士の互いに向き合う両側面に長手方向に沿って形成された第１溝に、前記長尺材同士の間隙を埋める接続材が挿入されることにより、面を構成している。当該面構成体は、前記複数の長尺材の配列方向に延びる２本の連結材が、前記複数の長尺材の長手方向両端部の裏側にそれぞれ配置されている。また、前記配列方向に延び、前記複数の長尺材に対応する雌ねじを有する雌ねじ部材が、前記２本の連結材の各々の裏側からある深さの部位に配置されている。さらに、前記複数の長尺材の各々の長手方向両端部の表側から、締結ねじが挿通されており、当該締結ねじが、前記雌ねじ部材の前記雌ねじに螺合することにより、前記２本の連結材が前記複数の長尺材に締結されている。さらに、前記雌ねじ部材は、２以上の長尺材に跨って連続している。
【０００８】
この構成によれば、複数の長尺材が並列配置され、隣接する長尺材同士の互いに向き合う両側面に長手方向に沿って形成された第１溝に、前記長尺材同士の間隙を埋める接続材が挿入されているために、建築物の壁面等にも適する間隙のない面構成体が形成される。また、各長尺材と配列方向に延びる連結材とが、締結ねじにより締結されているので、並列配置された長尺材が簡単な作業工程により互いに固定される。各長尺材と連結材とは、締結ねじの頭部と、連結材の裏側からある深さの位置に配置された雌ねじ部材とによって締め付けられることにより、互いに固定されている。すなわち、締め付けられる部分の厚さが、長尺材の表側から連結材の裏側までの厚さに比して削減されている。このため、長尺材及び連結材に木材を使用した場合であっても、乾燥による経年的な収縮の影響が小さく、締め付けの緩みが抑制される。
【０００９】
なお、「表側」、「裏側」とは、面構成体の表裏のうち、連結材が取り付けられた側を「裏側」と称し、その反対側を「表側」と称するものである。「表側」とは、建築物等への適用において外側あるいは表側となる側に限定する趣旨ではない。このことは、以下の全ての態様に係る面構成体においても同様である。
【００１０】
上記の構成によれば、さらに、締結ねじが螺合するナットとして機能する雌ねじ部材が長尺であり、長尺材の配列方向に伸びるように配置され、複数の長尺材に対応する雌ねじが形成されているので、各長尺材と連結材とを締結ねじにより締結する作業が容易である。すなわち、面構成体の表側と裏側とに作業者を配置して、締結ねじに個別に対応するナットの回転を制止しつつ、締結ねじを締結方向に回すという、二人掛かりの作業を要しない。また、経年的な締め付け力の緩みがあった場合においても、締結ねじを回すだけで締め直しすることが可能である。さらに、締結ねじに個別に対応するナットを連結材に埋め込むことにより、ナットの回転を制止する場合に比べて構造が簡単であり、製造工程が簡素となる。しかも個別のナットを所定位置に精度良く埋め込む作業の困難さに比べ、簡単な工程で長尺の雌ねじ部材の所定位置に精度良く雌ねじを形成することが可能である。
【００１１】
上記の構成によれば、さらに、長尺の雌ねじ部材により、連結材が広い範囲にわたって押圧力を受けるので、押圧力が締結ねじの周囲に過度に集中せず分散する。加えて、連結材に雌ねじ部材が沿うことになるので、連結材の補強にも寄与する。このため、連結材が木材である場合においても、連結材と各長尺材とが堅固に締結される。以上の通り、本構成によれば、簡素な製造工程で強度の高い面構成体が得られる。
【００１２】
長尺材は間伐材に限定されない。また、当該面構成体を建築物の壁面に適用する場合には、連結材は、例えば建築物の柱あるいは横行材を構成する部材として利用することができる。横行材は、例えば梁、あるいは基礎の上に配置された土台である。これらの事項は、以下の全ての態様に係る面構成体においても同様である。
【００１３】
本発明のうち第２の態様に係るものは、第１の態様に係る面構成体であって、前記複数の長尺材の各々の長手方向両端からある長さに渡り、裏側からある深さを有する第１切欠が形成されている。さらに、前記配列方向に延びる前記２本の連結材が、前記複数の長尺材の長手方向両端部の前記第１切欠に、それぞれ配置されている。
【００１４】
この構成によれば、各長尺材に形成された切欠に連結材が配置されているので、各長尺材と連結材と間の角度の変位が効果的に抑制される。すなわち、変形が効果的に抑制され、耐震性にも優れる高強度の面構成体が得られる。
【００１５】
本発明のうち第３の態様に係るものは、第１又は第２の態様に係る面構成体であって、前記締結ねじの頭部が、前記複数の長尺材の各々の長手方向両端部の表側からある深さに位置しているものである。
【００１６】
この構成によれば、締め付けられる部分の厚さが、長尺材の表面から連結材の表面までの厚さに比して、さらに削減されている。このため、長尺材及び連結材に木材を使用した場合であっても、乾燥による経年的な収縮の影響がさらに小さく、締め付けの緩みがさらに抑制される。
【００１７】
本発明のうち第４の態様に係るものは、第１ないし第３の何れかの態様に係る面構成体であって、前記２本の連結材のうち少なくとも１本の連結材には、前記配列方向に沿った第２溝が形成されており、当該第２溝に前記雌ねじ部材が配置されているものである。
【００１８】
この構成によれば、少なくとも１本の連結材について、配列方向に沿った溝が形成されており、この溝に雌ねじ部材を挿入することにより、雌ねじ部材を連結材の裏側の表面よりも締結ねじ頭部に近い、ある深さに設置することが可能となっている。すなわち、雌ねじ部材を適切な位置に、容易に設置することが可能である。
【００１９】
本発明のうち第５の態様に係るものは、第４の態様に係る面構成体であって、前記少なくとも１本の連結材の前記第２溝は、前記長尺材長手方向に沿った前記連結材の端面に開口しているものである。
【００２０】
この構成によれば、例えば面構成体を建築物の壁面に使用した場合に、長尺材長手方向に沿った連結材の端面に開口する溝が外部の構造材により覆われるので、当該溝への雨風の侵入を防止することができる。
【００２１】
本発明のうち第６の態様に係るものは、第５の態様に係る面構成体であって、前記少なくとも１本の連結材の前記第２溝に配置される雌ねじ部材は、当該第２溝の開口部から外方へ延在しており、当該延在する部分にも、雌ねじが形成されているものである。
【００２２】
この構成によれば、当該面構成体と、同様に構成される別の面構成体とを、雌ねじ部材を共有することにより互いに締結することができる。それにより、面構成体同士の堅固な接続が、簡単な工程で実現する。例えば、建築物の１階の壁面と２階の壁面との間を、簡単な工程で堅固に接続することが可能となる。
【００２３】
本発明のうち第７の態様に係るものは、第６の態様に係る面構成体であって、当該面構成体を第１の面構成体として第２の面構成体をさらに備えている。当該第２の面構成体は、第５の態様に係る面構成体である。前記第１及び第２の面構成体は、各々の前記第２溝の前記開口部が向き合うように、互いに接し合って配置され、かつ前記第１の面構成体の前記雌ねじ部材のうちの前記延在する部分を、前記第２の面構成体の前記雌ねじ部材とすることにより、互いに締結されている。
【００２４】
この構成によれば、第６の態様に係る面構成体である第１の面構成体と、第５の態様に係る面構成体である第２の面構成体とが、第１の面構成体の雌ねじ部材の延在する部分を、第２の面構成体の雌ねじ部材とすることにより、互いに締結されている。すなわち、第１及び第２の面構成体が、雌ねじ部材を共有することにより互いに締結されている。面構成体同士の堅固な接続が、簡単な工程で実現され、それにより複合面構成体が形成されている。当該複合面構成体は、例えば、建築物の１階の壁面と２階の壁面として、利用することができる。
【００２５】
本発明のうち第８の態様に係るものは、第４の態様に係る面構成体であって、前記少なくとも１本の連結材の前記第２溝は、前記長尺材の長手方向中央部を向く前記連結材の端面に開口している。前記少なくとも１本の連結材には、前記配列方向に沿い、裏側に開口する第３溝が、前記第２溝と連通しないように形成されており、前記長尺材の前記長手方向に沿った前記少なくとも１本の連結材の端面から前記第３溝に達する締結ねじ挿通用の複数の穴が、前記配列方向に間隔をおいて形成されている。
【００２６】
この構成によれば、当該面構成体は、第３溝を有する連結材を別の面構成体との間で共有し、第３溝に別の雌ねじ部材を配置し、第３溝を別の面構成体の第２溝として使用し、別の面構成体を別の雌ねじ部材に締結ねじにより締結することにより、別の面構成体と接続することができる。しかも、面構成体同士の堅固な接続が、簡単な工程で実現する。例えば、建築物の同一階の交差する壁面同士を、簡単な工程で堅固に接続することが可能となる。
【００２７】
本発明のうち第９の態様に係るものは、第８の態様に係る面構成体であって、当該面構成体を第１の面構成体として、第２の面構成体をさらに備えている。当該第２の面構成体は、第８の態様に係る面構成体である。前記第１及び第２の面構成体は、前記第１の面構成体の前記第３溝を有する連結材を、同時に前記第２の面構成体の連結材とするように、互いに共有し、かつ前記第１の面構成体の前記第３溝を前記第２の面構成体の前記第２溝とすることにより、互いに締結されている。
【００２８】
この構成によれば、第８の態様に係る面構成体である第１の面構成体と、同じく第８の態様に係る面構成体である第２の面構成体とが、一方の第３溝が他方の第２溝となるように連結材を共有することにより、互いに締結されている。すなわち、面構成体同士の堅固な接続が、簡単な工程で実現され、それにより複合面構成体が形成されている。当該複合面構成体は、例えば、建築物の同一階の交差する壁面として、利用することができる。
【００２９】
本発明のうち第１０の態様に係るものは、第１ないし第９の何れかの態様に係る面構成体であって、前記２本の連結材のうち少なくとも１本の連結材に配置された前記雌ねじ部材は、前記複数の長尺材の全てに跨って連続しているものである。
【００３０】
この構成によれば、雌ねじ部材が複数の長尺材の全てに跨って連続しているので、雌ねじ部材の連結材への配置、及び配置された雌ねじ部材への雌ねじの形成がより容易となる。また、連結材の強度がさらに高められる。
【００３１】
本発明のうち第１１の態様に係るものは、第１ないし第１０の何れかの態様に係る面構成体であって、前記複数の長尺材の各々の両端部の表側には、第２切欠又は第４溝が形成されており、それにより前記締結ねじの頭部が前記表側からある深さに位置しているものである。
【００３２】
この構成によれば、長尺材の表側に切欠又は溝が形成され、それにより、締結ねじの頭部を表側から連結材に近い、ある深さに位置させることが可能となっている。すなわち、締結ねじを適切な位置に、容易に設置することが可能である。また、締結ねじの頭部を、カバー等を用いて覆うことにより、当該締結ねじの頭部を保護することも容易となる。
【００３３】
本発明のうち第１２の態様に係るものは、第１ないし第１１の何れかの態様に係る面構成体であって、前記配列方向に沿った前記２本の連結材の両端面の少なくとも一方に配置され、前記２本の連結材の一方から他方まで延びる長尺の構造材を、さらに備えている。また、前記雌ねじ部材は、前記連結材から前記構造材へ延びた延長部分であって、前記構造材の裏側からある深さの部位に配置される延長部分を有しており、当該延長部分にも雌ねじが形成されている。前記構造材は、当該構造材の表側から挿通された別の締結ねじが前記雌ねじ部材の前記延長部分の前記雌ねじに螺合することにより、前記延長部分に締結されている。
【００３４】
この構成によれば、締結ねじを用いて、雌ねじ部材の延長部分に構造材を締結することにより、構造材と２本の連結材とが固定される。すなわち簡単な構造及び工程により、構造材と２本の連結材とを固定することができる。面構成体を建築物の壁面に適用した場合には、構造材は、例えば建築物の土台、柱、あるいは梁を構成する部材として利用することができる。
【００３５】
本発明のうち第１３の態様に係るものは、第１ないし第１２の何れかの態様に係る面構成体であって、前記締結ねじの頭部から前記雌ねじ部材に至る部材の境界面のうち、少なくとも１つの境界面に、第１弾性緩衝材が介挿されているものである。
【００３６】
この構成によれば、締結ねじの締結力により第１緩衝材に圧縮力が加えられるので、締結ねじの締め付けの緩みが、第１緩衝材により抑制される。さらに、長尺材の長手方向及び配列方向に沿った面構成体の断面上の剪断応力及び圧縮応力が、第１弾性緩衝材により緩和される。そのため、本構成による面構成体を建築物の壁面などに使用することにより、建築物の免震性を向上させることができる。第１緩衝材が介挿される境界面として、例えば、長尺材の長手方向に沿った連結材と長尺材との間の境界面、及び雌ねじ部材と連結材との境界面が有り得る。
【００３７】
本発明のうち第１４の態様に係るものは、第２の態様に係る面構成体であって、前記２本の連結材のうち少なくとも１本の連結材と、前記複数の長尺材との間の境界面であって、前記長手方向に交差する境界面に、第２弾性緩衝材が介挿されているものである。
【００３８】
この構成によれば、長尺材の長手方向に交差する面構成体の断面上の剪断応力及び圧縮応力が、第２弾性緩衝材により緩和される。そのため、本構成による面構成体を建築物の壁面などに使用することにより、建築物の免震性を向上させることができる。
【００３９】
本発明のうち第１５の態様に係るものは、第２又は第１４の態様に係る面構成体であって、前記複数の長尺材の各々の両端部に形成された前記第１切欠は、前記第１溝の前記裏側に近い側壁面に達しているものである。
【００４０】
この構成によれば、接続材の長手方向の両端部が長尺材と連結材によって挟圧固定されるので、各長尺材と連結材と間の角度の変位が、より効果的に抑制される。すなわち、変形がより効果的に抑制され、耐震性にも一層優れる高強度の面構成体が得られる。
【００４１】
本発明のうち第１６の態様に係るものは、第１ないし第１４の何れかの態様に係る面構成体であって、前記各接続材は、両側端に接続される長尺材の第１溝の開口縁部に当接しつつ沿うように、表裏のうちの双方に突出する突出部を有するものである。
【００４２】
この構成によれば、突出部が第１溝の開口部を覆うので、第１溝の中へ雨滴が侵入するのを抑制することができる。
【００４３】
本発明のうち第１７の態様に係るものは、第１ないし第１４の何れかの態様に係る面構成体であって、前記各接続材は、両側端に接続される長尺材の第１溝の開口縁部に当接しつつ沿うように、表裏のうち少なくとも前記裏側に突出する突出部を有している。そして、当該裏側に突出した突出部は、両側端に接続される長尺材との間の間隙を埋めつつ、前記長手方向の両端部において、前記２本の連結材に達する位置まで延びている。
【００４４】
この構成によれば、各長尺材とそれらの間の接続材と２本の連結材との間に隙間が形成されないので、当該隙間から風雨が侵入するのを抑制した面構成体が実現する。
【００４５】
本発明のうち第１８の態様に係るものは、第１ないし第１６の何れかの態様に係る面構成体であって、各接続材が、両側端に接続される長尺材の第１溝の外部に露出する部分において、前記長手方向から見て屈曲ないし湾曲した伸縮部を有するものである。
【００４６】
この構成によれば、各接続材が伸縮部により、長尺材の配列方向に伸縮可能となる。このため、長尺材に木材を使用した場合等において、長尺材が経年的に収縮することがあっても、接続材と長尺材との間に隙間が生じ、当該隙間を通じて風雨が漏れることを防ぐことができる。すなわち、耐久性を向上させた面構成体が実現する。
【００４７】
本発明のうち第１９の態様に係るものは、第１ないし第１８の何れかの態様に係る面構成体であって、前記各接続材は、両側端に接続される長尺材の第１溝への挿入を可能にすると共に逆戻りを制止する戻り止めを有するものである。
【００４８】
この構成によれば、接続材の両側端が長尺材の溝の中に挿入可能であり、挿入された後には溝から抜け難くなる。このため、長尺材に木材を使用した場合等において、長尺材が経年的に収縮することがあっても、接続材と長尺材との間に隙間が生じ、当該隙間を通じて風雨が漏れることを防ぐことができる。すなわち、耐久性を向上させた面構成体が実現する。
【００４９】
本発明のうち第２０の態様に係るものは、第１ないし第１８の何れかの態様に係る面構成体であって、前記各接続材は、両側端に接続される長尺材の第１溝の側壁面に対向する当該接続材の表面に後退部を有し、前記第１溝の側壁面に接着剤又はシール剤が固着しており、当該接着剤又はシール剤が前記後退部に侵入しているものである。
【００５０】
この構成によれば、第１溝の側壁面に固着された接着剤又はシール剤が後退部に侵入しているので、各接続材が長尺材の第１溝から抜け出るのを防ぐことができる。この構成は、例えば、後退部に接着剤又はシール剤を塗布した状態で、各接続材を長尺材の第１溝へ挿入し、接着剤又はシール剤を硬化させることにより、形成可能である。後退部は、接続部材を貫通する孔であっても良く、接続部材に形成された有底の穴であっても良く、接続部材に形成された溝であっても良い。
【００５１】
本発明のうち第２１の態様に係るものは、面構成体であって、複数の長尺材が並列配置され、隣接する長尺材同士の互いに向き合う両側面に長手方向に沿って形成された溝に、前記長尺材同士の間隙を埋める接続材が挿入されることにより、面を構成している。そして、前記各接続材は、両側端に接続される長尺材の溝の開口縁部に当接しつつ沿うように、表裏のうちの双方に突出する突出部を有している。
【００５２】
この構成によれば、本発明の第１６の態様に係る面構成体と同様の作用効果が得られる。
【００５３】
本発明のうち第２２の態様に係るものは、面構成体であって、複数の長尺材が並列配置され、隣接する長尺材同士の互いに向き合う両側面に長手方向に沿って形成された溝に、前記長尺材同士の間隙を埋める接続材が挿入されることにより、面を構成している。そして、前記複数の長尺材の配列方向に延びる２本の連結材が、前記複数の長尺材の長手方向両端部の裏側にそれぞれ締結されている。さらに、前記各接続材は、両側端に接続される長尺材の前記溝の開口縁部に当接しつつ沿うように、表裏のうち少なくとも裏側に突出する突出部を有している。当該裏側に突出した突出部は、両側端に接続される長尺材との間の間隙を埋めつつ、前記長手方向の両端部において、前記２本の連結材に達する位置まで延びている。
【００５４】
この構成によれば、本発明の第１７の態様に係る面構成体と同様の作用効果が得られる。
【００５５】
本発明のうち第２３の態様に係るものは、面構成体であって、複数の長尺材が並列配置され、隣接する長尺材同士の互いに向き合う両側面に長手方向に沿って形成された溝に、前記長尺材同士の間隙を埋める接続材が挿入されることにより、面を構成している。そして、各接続材が、両側端に接続される長尺材の溝の外部に露出する部分において、前記長手方向から見て屈曲ないし湾曲した伸縮部を有している。
【００５６】
この構成によれば、本発明の１８の態様に係る面構成体と同様の作用効果が得られる。
【００５７】
本発明のうち第２４の態様に係るものは、面構成体であって、複数の長尺材が並列配置され、隣接する長尺材同士の互いに向き合う両側面に長手方向に沿って形成された溝に、前記長尺材同士の間隙を埋める接続材が挿入されることにより、面を構成している。そして、各接続材は、両側端に接続される長尺材の溝への挿入を可能にすると共に逆戻りを制止する戻り止めを有している。
【００５８】
この構成によれば、本発明の第１９の態様に係る面構成体と同様の作用効果が得られる。
【００５９】
本発明のうち第２５の態様に係るものは、面構成体であって、複数の長尺材が並列配置され、隣接する長尺材同士の互いに向き合う両側面に長手方向に沿って形成された溝に、前記長尺材同士の間隙を埋める接続材が挿入されることにより、面を構成している。そして、前記各接続材は、両側端に接続される長尺材の第１溝の側壁面に対向する当該接続材の表面に後退部を有している。前記第１溝の側壁面には、接着剤又はシール剤が固着しており、当該接着剤又はシール剤が前記後退部に侵入している。
【００６０】
この構成によれば、本発明の第２０の態様に係る面構成体と同様の作用効果が得られる。
【００６１】
本発明のうち第２６の態様に係るものは、面構成体であって、複数の長尺材が並列配置され、隣接する長尺材同士の互いに向き合う両側面に長手方向に沿って形成された溝に、前記長尺材同士の間隙を埋める接続材が挿入されることにより、面を構成している。当該面構成体は、前記配列方向に延びる２本の金属製の連結材が、前記複数の長尺材の各々の長手方向両端部にそれぞれ配置されている。また、前記複数の長尺材の長手方向両端部の表側から、締結ねじが挿通されている。さらに、前記締結ねじが、前記２本の連結材に形成された雌ねじに螺合することにより、前記２本の連結材が前記複数の長尺材に締結されている。
【００６２】
この構成によれば、複数の長尺材が並列配置され、隣接する長尺材同士の互いに向き合う両側面に長手方向に沿って形成された溝に、前記長尺材同士の間隙を埋める接続材が挿入されているために、建築物の壁面等にも適する間隙のない面構成体が形成される。また、各長尺材と配列方向に延びる連結材とが、締結ねじにより締結されているので、並列配置された長尺材が簡単な作業工程により互いに固定される。連結材は金属製であるので、長尺材同士が高い強度をもって連結される。さらに連結材自身が、締結ねじが螺合するナットとして機能するので、各長尺材と連結材とを締結ねじにより締結する作業が容易である。すなわち、面構成体の表側と裏側とに作業者を配置して、締結ねじに個別に対応するナットの回転を制止しつつ、締結ねじを締結方向に回すという、二人掛かりの作業を要しない。また、経年的な締め付け力の緩みがあった場合においても、締結ねじを回すだけで締め直しすることが可能である。さらに、締結ねじに個別に対応するナットを連結材に埋め込むことにより、ナットの回転を制止する場合に比べて構造が簡単であり、製造工程が簡素となる。しかも個別のナットを所定位置に精度良く埋め込む作業の困難さに比べ、簡単な工程で連結材の所定位置に精度良く雌ねじを形成することが可能である。以上の通り、本構成によれば、簡素な製造工程で強度の高い面構成体が得られる。
【００６３】
本発明のうち第２７の態様に係るものは、建築物であって、本発明の第１ないし第２６の何れかの態様に係る面構成体が、壁、床及び屋根の少なくとも一つの少なくとも一部に使用されているものである。
【００６４】
この構成によれば、本発明の各態様に係る面構成体の作用効果が建築物において発揮される。
【発明の効果】
【００６５】
以上のように本発明によれば、簡素な製造工程により構成でき、しかも高い強度を有する面構成体、及び当該面構成体を用いた建築物が得られる。さらに、本発明によれば、耐久性に優れる面構成体、及び当該面構成体を用いた建築物が得られる。
【図面の簡単な説明】
【００６６】
【図１】本発明の実施の形態１による面構成体の主要部の構成を例示する平面図である。
【図２】図１の面構成体について、その全体を代表して右端部付近の構成を例示する正面斜視図である。
【図３】図１の面構成体について、その部材を部分的に切除しつつ、全体を代表して右端部付近の構成を例示する背面斜視図である。
【図４】図１の面構成体について、上部を除去して一部構成を例示する正面斜視図である。
【図５】図１の面構成体の右下端部付近の構成を例示する右側面図である。
【図６】図１の面構成体と同様の構成を有する２枚の面構成体を互いに連結して成る複合面構成体の主要部について、その連結部付近の構成を例示する平面図である。
【図７】本発明の実施の形態２による面構成体について、その一部の構成を例示する側面断面図である。
【図８】図７の面構成体について、その全体を代表して右端部付近の構成を例示する正面斜視図である。
【図９】本発明の実施の形態３による面構成体について、その一部構成を例示する右側面断面図である。
【図１０】本発明の実施の形態４による面構成体について、その右端部付近の構成を例示する平面断面図である。
【図１１】本発明の実施の形態５による面構成体について、その右下端部付近の構成を例示する右側面図である。
【図１２】本発明の実施の形態６による面構成体の構成を例示する図であり、（ａ）は当該面構成体に適用される接続材の一例を示す斜視図であり、（ｂ）は当該面構成体の一部構成を例示する側面断面図であり、（ｃ）は当該面構成体に適用される接続材の別の一例を示す断面図である。
【図１３】本発明の実施の形態７による面構成体の構成を例示する図であり、（ａ）は当該面構成体に適用される接続材の一例を示す斜視図であり、（ｂ）は当該面構成体の一部構成を例示する側面断面図であり、（ｃ）は当該面構成体に適用される接続材の別の一例を示す断面図である。
【図１４】図１３の面構成体に適用される接続材のさらに別の一例を示す斜視図である。
【図１５】本発明の実施の形態８による面構成体の構成を例示する図であり、（ａ）は当該面構成体に適用される接続材の一例を示す斜視図であり、（ｂ）は当該面構成体の一部構成を例示する側面断面図である。
【図１６】本発明の実施の形態９による面構成体の構成を例示する図であり、（ａ）は当該面構成体に適用される接続材の一例を示す斜視図であり、（ｂ）は当該面構成体の一部構成を例示する側面断面図である。
【図１７】本発明の実施の形態１０〜１２による面構成体の各々の一部構成を例示する断面図である。
【図１８】本発明の実施の形態１３よる面構成体の構成を例示する図であり、（ａ）は当該面構成体に適用される接続材の一例を示す斜視図であり、（ｂ）は当該面構成体の一部構成を例示する側面断面図である。
【図１９】本発明の実施の形態１４による面構成体について、その部材を部分的に切除しつつ、全体を代表して右端部付近の構成を例示する背面斜視図である。
【図２０】本発明の実施の形態１５による面構成体と、当該面構成体と同様の構成を有する別の面構成体とを互いに連結して成る複合面構成体の主要部について、その連結部付近の構成を例示する上面斜視図である。
【発明を実施するための形態】
【００６７】
以下に実施の形態として例示する面構成体はいずれも、並列配置された多数の長尺材を有しており、建築物の壁、床、及び屋根への適用が可能である。以下の実施の形態においては、建築物の壁としての利用を想定し、かつ、面構成体が直立しており、水平方向に延在する長尺材が鉛直方向に並列配置された例を、主として取り上げる。しかし、例示される直立した面構成体はいずれも、水平方向と鉛直方向とを逆にして利用することも、床に適用した場合のように水平に配置して使用することも、屋根に適用した場合のように、斜面に沿って配置して使用することも可能であることは、当業者に容易に理解されるところである。
【００６８】
（実施の形態１）
図１は、本発明の実施の形態１による面構成体の主要部の構成を例示する平面図である。また図２は、同面構成体について、その全体を代表して右端部付近の構成を例示する正面斜視図である。さらに図３は、同面構成体について、その部材を部分的に切除しつつ、全体を代表して右端部付近の構成を例示する背面斜視図である。また図４は、同面構成体について、上部を除去して一部構成を例示する正面斜視図である。さらに図５は、同面構成体の右下端部付近の構成を例示する右側面図である。これらの図１〜図５を参照しつつ、当該実施の形態１による面構成体１０１について説明する。便宜上、図２に現れる面構成体１０１の手前側を「表側」と称し、図３に現れる面構成体１０１の手前側を「裏側」と称する。さらに、「上」、「下」、「左」及び「右」の語は、面構成体１０１を表側から見たときの方向又は位置を表すものとする。上記の「表側」は、面構成体１０１を建築物の外壁面に適用した場合には、表側すなわち外側とするのに適した側であるが、面構成体１０１の使用は、かかる形態に限定されるものではない。
【００６９】
面構成体１０１は、主要な部材として、多数の長尺材１、多数の接続材１９、２本の連結材３、多数のボルト１５、及び雌ねじ部材１３を有している。多数の長尺材１は、それらの長手方向が水平となるように配置され、かつ鉛直方向に並ぶように配置されている。これらの長尺材１は、一例として木製の角材である。長尺材１は、平坦面が互いに向き合うように、かつ間隔をもって並列配置されている。互いに隣接する長尺材１の互いに向き合う平坦面には、長手方向に沿って溝１７が形成されている。溝１７は、本発明の第１溝の一具体例に該当する。互いに向き合う溝１７には、隣接する長尺材１の間の間隙を埋めるように、接続材１９が挿入されている。
【００７０】
接続材１９は、本実施の形態では、互いに向き合う溝１７に挿入される第１の板状部１４と、第１の板状部１４に直交するようにその中心から延びる第２の板状部１６と、を有することにより、断面「Ｔ」字状を成す長尺の部材として形成されている（図４参照）。第２の板状部１６は、互いに隣接する長尺材１に挟まれ、かつ長尺材１の裏側にまで延びている。第２の板状部１６は、本発明の接続材が有する「突出部」の一具体例に該当する。長尺材１は、接続材１９の第２の板状部１６の厚さに相当する間隙１８をもって、並列配置されている。接続材１９は、一例として木製、プラスチック製或いは金属製である。
【００７１】
配列する長尺材１の長手方向の両端部の裏側には、２本の連結材３が固定されている。図２及び図３には、代表として１本の連結材３のみが示されている。連結材３は、長尺材１の全てにわたるように長尺材１の配列方向に延びており、一例として木製の角材である。各連結材３には、長尺材１の配列方向に沿った溝１１が形成されている。溝１１は、本発明の第２溝の一具体例に該当する。溝１１は、一例として、長尺材１の長手方向に沿った連結材３の端面に開口し、断面「コ」字状ないし「Ｕ」字状である。それにより、溝１１の長尺材１に近い側の側壁面は、長尺材１の長手方向及び配列方向の双方に平行な面となっている。この側壁面に沿って、長尺の雌ねじ部材１３が配置されている。雌ねじ部材１３は、一例として金属製の帯板状であり、さらに一例として、配列する長尺材１の全てに跨るように連続している。雌ねじ部材１３には、各長尺材１に対応する部位に雌ねじが形成されている。雌ねじ部材１３は、長尺材１の表側から挿通されたボルト１５と螺合することにより、配列する長尺材１に連結材３を締結する働きをなす。それにより、配列する長尺材１が、連結材３を通じて互いに固定される。
【００７２】
配列する長尺材１の長手方向両端部には、表側に開口する溝５が、長尺材１の配列方向に沿うように形成されている。溝５は、一例として、全ての長尺材を横断するように形成されている。溝５は、一例として「コ」字状ないし逆台形状の断面形状を有し、それにより、長尺材１の長手方向及び配列方向の双方に平行な底面を有する。この底面は、溝５が溝１７と干渉しないように、溝１７よりも浅い位置に形成されている。この底面に、座金部材７が配置されている。座金部材７は、一例として金属製であり、かつ全ての長尺材１に跨るように長尺の帯板状である。座金部材７には、各長尺材１に対応して、ボルト１５を挿通するための孔（図示略）が形成されている。ボルト１５は、その頭部９が座金部材７の主面に当接し、座金部材７に設けられた孔を通り、さらに長尺材１１及び連結材３に形成された挿通孔を通り、雌ねじ部材１３に螺合する。
【００７３】
面構成体１０１は、一例として、建築物の横行材である土台２３及び梁３０を含んでいる。土台２３は、基礎（図示略）の上に横たわるように固定されたもので、一例として木製の長尺の角材である。梁３０は一例として、土台２３と同一の構造及び形状を有しており、面構成体１０１は全体として上下対称に形成されている。それゆえ、土台２３及び梁３０についての説明は、それらの一方についての説明により代表し、他方についての説明は略する。
【００７４】
土台２３には、長手方向両端面に開口する溝２５が形成されている。図２、図３及び図５には、代表して右端面に開口する溝２５のみを示している。溝２５は溝１１と同一形状に形成されており、あたかも溝１１が延長されたかのように溝１１と連続している。しかも、雌ねじ部材１３は、溝２５の側壁面にも沿うように、溝２５にまで延長されている。雌ねじ部材１３の延長された部分には、雌ねじが形成されており、雌ねじ部材１３の当該延長部分は、土台２３の表側から挿通されたボルト３１と螺合することにより、雌ねじ部材１３と土台２３とを締結する働きをなす。それにより、連結材３が土台に固定される。土台２３に関する以上の記述は、上下を逆にした梁３０にも当てはまる。
【００７５】
梁３０の表側の面には、座金部材２７が配置されている。座金部材２７は、一例として金属製であり、かつ最上段の長尺材１の上面に開口するように形成された切欠２１に、下端部分を挿入可能な板状である。座金部材２７は、一例として、梁３０の左端から右端まで連続する長尺材である。座金部材２７は、梁３０と最上段の長尺材１との間の隙間を無くし、それにより、面構成体１０１が建築物に適用された場合には、風雨の漏れを防ぐ働きをもなす。座金部材２７の左右の端部には、ボルト３１を挿通するための孔（図示略）が形成されている。ボルト３１の頭部２９は、座金部材２７の主面に当接し、座金部材２７に設けられた孔を通り、さらに梁３０に形成された挿通孔を通り、雌ねじ部材１３に螺合する。
【００７６】
梁３０には、さらに、長尺材１の配列方向に沿った梁３０の端面、すなわち上端面に開口し、長手方向に沿った溝２６が形成されている。溝２６は、一例として溝１１と同様に、断面「コ」字状ないし「Ｕ」字状である。それにより、表側に近い溝２６の側壁面は、梁３０の表側の面に平行な面となっている。この側壁面に沿って、長尺の雌ねじ部材２４（図３参照）が配置されている。雌ねじ部材２４は、一例として金属製の帯板状であり、さらに一例として、梁３０の左右の端部を除いたほぼ全幅に跨るように連続している。雌ねじ部材２４には、長手方向に沿って間隔をおいて雌ねじが形成されている。雌ねじ部材２４は、梁３０の表側に配置された座金部材２７の表側から挿通されたボルト２２と螺合することにより、座金部材２７を梁３０に締結する働きをなす。
【００７７】
最上段の長尺材１の上面に形成された切欠２１は、最上段の長尺材１の裏側の上端部付近において、座金部材２７の厚みに略相当する深さをもって表側に後退するように形成された後退部に相当する。最上段の長尺材１がボルト１５により連結材３に締結されることにより、座金部材２７は長尺材１と連結材３とによって、堅固に挟持される。その結果、連結材３は座金部材２７をも介して梁３０に固定される。梁３０に関する以上の記述は、上下を逆にした土台２３にも当てはまる。
【００７８】
このように、長尺材１及び連結材３は、簡単な構造で、かつ簡単な作業を通じて、土台２３及び梁３０にしっかりと固定することが可能となっている。連結材３は、一例として建築物の柱として機能する。面構成体１０１を、縦横を逆にして建築物の壁面として使用する場合には、連結材３は土台あるいは梁などの横行材として使用することができ、土台２３及び梁３０は、柱として使用することができる。
【００７９】
面構成体１０１は以上のように構成されるので、以下のような利点を有する。各長尺材１と、その配列方向に延びる連結材３とが、ボルト１５により締結されているので、並列配置された長尺材１が、簡単な作業工程により互いに固定される。雌ねじ部材１３は、連結材３に形成された溝１１の中に配置され、座金部材７は長尺材１に形成された溝５の中に配置されている。このため、ボルト１５によって締め付けられる部分の厚さが、長尺材１と連結材３との双方の厚さに比して削減されている。その結果、長尺材１及び連結材３が木製である例においても、乾燥による経年的な収縮の影響が小さく、締め付けの緩みが抑制される。
【００８０】
また、ボルト１５の頭部９が、溝５の中に配置されているので、カバー部材等（図示略）により溝５を覆うことにより、ボルト頭部９を容易に隠すことができる。このことは、面構成体１０１の表側が建築物の外部側となるように、面構成体１０１を設置する場合に、特に有意義である。さらに、連結材３に形成された溝１１は、長尺材１の長手方向に沿った連結材３の端面に開口しているので、当該面構成体１０１を建築物の壁面に使用した場合に、溝１１が外部の構造材によって覆われる。このため溝１１への雨風の侵入が回避される。このことは、土台２３及び梁３０に形成された溝２６にも当てはまる。
【００８１】
さらに、雌ねじ部材１３が長尺であり、長尺材１の配列方向に伸びるように配置され、配列する長尺材１に対応するねじ孔が形成されているので、各長尺材１と連結材３とをボルト１５により締結する作業が容易である。すなわち、面構成体１０１の表側と裏側とに作業者を配置して、ボルト１５に個別に対応するナットの回転を制止しつつ、ボルト１５を締結方向に回すという、二人掛かりの作業を要しない。また、経年的な締め付け力の緩みがあった場合においても、ボルト１５を回すだけで締め直しすることが可能である。さらに、ボルト１５に個別に対応するナットを、例えば連結材３に形成されたほぞ孔に埋め込むことにより、ナットの回転を制止する場合に比べて構造が簡単であり、製造工程が簡素となる。しかも個別のナットを所定位置に精度良く埋め込む作業の困難さに比べ、長尺材１及び連結材３に形成されるボルト１５の挿通孔の位置に一致するように、長尺の雌ねじ部材１３の所定位置に精度良くねじ孔を形成することは、容易になし得る。例えば、既に形成されているボルト１５の挿通孔を通して、雌ねじ部材１３にタップを立てることにより、雌ねじ部材１３の所定位置に精度良くねじ孔を形成することができる。
【００８２】
さらに、雌ねじ部材１３が長尺であることから、連結材３が広い範囲にわたって押圧力を受けるので、押圧力がボルト１５の周囲に過度に集中せず分散するという利点が得られる。加えて、連結材３に雌ねじ部材１３が密着して沿うことになるので、連結材３の補強にも寄与する。このため、連結材３が木材である例においても、連結材３と各長尺材１とが堅固に締結され、強度の高い面構成体１０１が得られる。
【００８３】
なお、雌ねじ部材１３は、ボルト１５と螺合させる前に、連結材３の溝１１の所定の位置に、あらかじめ固定しておくのが望ましい。雌ねじ部材１３を固定するには、例えば、雌ねじ部材１３の所々に孔を空けておき、木ねじをこれらの孔に通し、木ねじにより雌ねじ部材１３を連結材３に固定すると良い。ねじ回しを用いて木ねじを回すことを可能にするためには、例えば、連結材３のうち溝１１の側壁部分に、木ねじとねじ回しとを挿入可能な貫通孔を形成すると良い。また、雌ねじ部材１３が連結材３の全体にわたって連続している例を示したが、雌ねじ部材１３は、各々が複数の長尺材１に跨るように、２本以上の雌ねじ部材に分割されていても良い。以上に述べた、長尺の雌ねじ部材１３に関する利点や変形例は、雌ねじ部材２４にも当てはまる。
【００８４】
また、ボルト頭部９が配置される溝５は、配列する長尺材１に跨って連続するように形成されたが、長尺材１毎に個別に形成しても良い。この場合には、座金部材７は、配列する長尺材１に跨って配置される長尺の部材に代えて、長尺材１毎に形成された溝に個別に配置される板材となる。また溝５に代えて、溝５の底面が長尺材１の長手方向端部まで連続して成る切欠を形成しても良い。
【００８５】
既に述べたように接続材１９は、隣り合う長尺材１に挟まれ、かつこれら長尺材１の裏側の面まで延びる第２の板状部１６を有している（図４参照）。このように構成された第２の板状部１６は、長尺材１の両端部において連結材３に達する。このため、隣り合う長尺材１とそれらの間の接続材１９と連結材３との間に隙間が形成されないので、この隙間から風雨が侵入するという不都合が回避される。また、第２の板状部１６が、隣り合う長尺材１に挟まれているので、例えば長尺材１の表側から裏側への風雨の侵入が、より効果的に抑制される。
【００８６】
面構成体１０１として、雌ねじ部材１３が連結材３と土台２３及び梁３０とを接続する部材としても使用される例を示したが、面構成体１０１と同様に構成され、互いに隣り合う２枚の面構成体同士を接続する部材としても、雌ねじ部材１３を使用することが可能である。図６は、その一例を示す平面図である。図６は、図１と同様に梁３０については、図示を略している。図６に示すように、面構成体１０１と同様の構成を有する２枚の面構成体１０１Ａ及び１０１Ｂの間で、雌ねじ部材３３を共有することにより、これらの面構成体１０１Ａ及び１０１Ｂを、容易にかつ堅固に連結することができる。雌ねじ部材３３は、１枚の面構成体１０１に属する雌ねじ部材１３が、溝１１の外方にまで延長され、延長された部分にねじ孔が形成されたものと同等である。面構成体１０１Ａ及び１０１Ｂが連結されて成る複合面構成体１０１Ｃは、例えば、建築物の１階の壁面と２階の壁面とを形成したり、同一階の隣り合う２枚の壁面を形成するのに適している。雌ねじ部材３３を共有することにより、面構成体１０１と同様の面構成体を、一般に２枚以上連結することも当然に可能である。
【００８７】
（実施の形態２）
図７は、本発明の実施の形態２による面構成体について、その一部の構成を例示する側面断面図である。図７は、垂直方向を水平方向に変えて、当該面構成体を表している。また図８は、同面構成体について、その全体を代表して右端部付近の構成を例示する正面斜視図である。図８において、同面構成体の最上部は、その下方の構造を明示するために、二点鎖線で表している。これらの図を参照しつつ、実施の形態２による面構成体１０２について説明する。
【００８８】
面構成体１０２は、長尺材４１として間伐材等の丸太が用いられている点、及び各長尺材４１の長手方向両端に形成された切欠４７に、連結材４９が配置されている点において、実施の形態１による面構成体１０１とは異なっている。接続材４３は、一例として木製の板状であり、隣り合う長尺材４１の互いに向き合う側面に開口するように、長手方向に沿って形成された溝４５に挿入されている。溝４５は、本発明の第１溝の一具体例に該当する。
【００８９】
切欠４７は、各長尺材４１の長手方向両端から、ある長さに渡り、裏側からある深さを有するように形成されている。切欠４７は、長尺材４１の長手方向と配列方向とに平行な平面と、長尺材４１の長手方向に直交する平面とを有している。このため、一例として角材である連結材４９は、切欠４７に面接触する。連結材４９は一例として木製である。連結材４９には、実施の形態１における連結材３の溝１１と同様の形態を有する溝５１が形成されている。溝５１には、雌ねじ部材１３と同様の雌ねじ部材（図示略）が配置されている。各長尺材４１の長手方向両端部には、表側に開口する溝５３が形成されている。溝５３は、一例として、全ての長尺材４１を横断するように形成されている。溝５３は、長尺材１の溝５と同様に、一例として「コ」字状ないし逆台形状の断面形状を有する。各溝５３の底面には、座金部材５５が配置されている。座金部材５５は、一例として金属製の板状であり、かつ各溝５３に個別に配置されている。ボルト５７は、座金部材５５に設けられた孔（図示略）を通り、さらに長尺材４１及び連結材４９に形成された挿通孔（図示略）を通り、雌ねじ部材（図示略）に螺合する。それにより、配列する長尺材４１が、連結材４９を通じて互いに固定される。
【００９０】
切欠４７は、溝４５の裏側に近い方の側壁面に切欠４７が達する深さに形成されている。その結果、接続材４３の長手方向の両端部が、長尺材４１と連結材４９とによって挟圧固定されるので、各長尺材４１と連結材４９と間の角度の変位が、より効果的に抑制される。さらに、連結材４９は切欠４７に配置されているので、各長尺材４１と連結材４９と間の角度の変位が、さらに効果的に抑制される。なお、ボルト頭部５７が配置される溝５３は、配列する長尺材４１に跨って連続するように形成されたが、長尺材４１毎に個別に形成しても良い。また溝５３に代えて、溝５３の底面が長尺材４１の長手方向端部まで連続して成る切欠を形成しても良い。
【００９１】
図８に示すように、面構成体１０２は、一例として、建築物の横行材である土台５９及び梁６０を含んでいる。土台５９と梁６０梁とは、一例として同一の構造及び形状を有しており、面構成体１０２は全体として上下対称に形成されている。それゆえ、土台５９及び梁６０についての説明は、主として梁６０についての説明により代表し、土台５９についての説明は略する。
【００９２】
梁６０に形成された溝６１は、図２等に示した溝２５と同様に、溝５１と連続している。また、図示を略するが溝５１に配置された雌ねじ部材は、溝６１の側壁面にも沿うように、溝６１にまで延長されている。図３等に示した雌ねじ部材１３の延長部分と同様に、溝５１に配置された雌ねじ部材（図示略）の延長された部分には、雌ねじが形成されており、当該延長部分は、梁６０の表側から挿通されたボルト６５と螺合することにより、雌ねじ部材（図示略）と梁６０とを締結する働きをなす。それにより、連結材４９が梁６０に固定される。梁６０に関する以上の記述は、上下を逆にした土台５９にも当てはまる。
【００９３】
梁６０の表側の面には、座金部材６３が配置されている。座金部材６３は、一例として金属製であり、かつ最上段の長尺材１の上面に開口するように形成された溝６２に、下端部分を挿入可能な板状である。座金部材６３は、一例として、梁６０の左端から右端まで連続する長尺材である。座金部材６３の左右の端部には、ボルト６５を挿通するための孔（図示略）が形成されている。ボルト６５の頭部は、座金部材６３の主面に当接し、座金部材６３に設けられた孔を通り、さらに梁６０に形成された挿通孔を通り、雌ねじ部材（図示略）に螺合する。
【００９４】
最上段の長尺材４１の上面に形成された溝６２の左端部及び右端部では、切欠４７が溝６２の裏側に近い方の側壁面に達している。その結果、最上段の長尺材４１がボルト５７により連結材４９に締結されることにより、接続部材４３と同様に、座金部材６３の長手方向の両端部が、長尺材４１と連結材４９とによって堅固に挟持される。その結果、連結材４９は座金部材６３をも介して梁６０に固定される。
【００９５】
梁６０には、図３等に示した梁３０と同様に、長尺材４１の配列方向に沿った梁６０の端面、すなわち上端面に開口し、長手方向に沿った溝６４が形成されている。溝６４は、一例として溝５１と同様に、断面「コ」字状ないし「Ｕ」字状である。それにより、表側に近い溝６４の側壁面は、梁６０の表側の面に平行な面となっている。この側壁面に沿って、図３に示した雌ねじ部材２４と同様に、長尺の雌ねじ部材（図示略）が配置されている。この雌ねじ部材は、雌ねじ部材２４（図３）と同様に、一例として金属製の帯板状であり、さらに一例として、梁６０の左右の端部を除いたほぼ全幅に跨るように連続している。当該雌ねじ部材には、雌ねじ部材２４（図３）と同様に、長手方向に沿って間隔をおいて雌ねじ（図示略）が形成されている。当該雌ねじ部材は、梁６０の表側に配置された座金部材６３の表側から挿通されたボルト６６と螺合することにより、座金部材６３を梁６０に締結する働きをなす。
【００９６】
座金部材６３は、その下端部が溝６２に差し込まれるので、最上段の長尺材４１を梁６０に固定する役割をも果たす。座金部材６３は、さらに、座金部材２７（図２）と同様に、梁６０と最上段の長尺材４１との間の隙間を無くし、それにより、面構成体１０２が建築物に適用された場合には、風雨の漏れを防ぐ働きをもなす。梁６０に関する以上の記述は、上下を逆にした土台５９にも当てはまる。
【００９７】
（実施の形態３）
図９は、本発明の実施の形態３による面構成体について、その一部構成を例示する右側面断面図である。この面構成体１０３は、実施の形態１による面構成体１０１において、ボルト１５の頭部９からボルト１５が螺合する雌ねじ部材１３に至る部材の間の境界面に、弾性緩衝材７５、６９及び７１が介挿された構造を有している。弾性緩衝材７５、６９及び７１は、例えば防振ゴム製のシートである。弾性緩衝材７５は、座金部材７と長尺材１との間に介挿されている。弾性緩衝材６９は、長尺材１と連結材３との間に介挿されている。また、弾性緩衝材７１は、連結材３と雌ねじ部材１３との間に介挿されている。
【００９８】
弾性緩衝材７５、６９及び７１には、ボルト１５の締結力により圧縮力が加えられるので、ボルト１５の締め付けの緩みが、これらの弾性緩衝材７５、６９及び７１によって抑制される。さらに、長尺材１の長手方向及び配列方向に沿った面構成体１０３の断面上の剪断応力及び圧縮応力が、これらの弾性緩衝材７５、６９及び７１により緩和される。そのため、面構成体１０３を建築物の壁面などに使用することにより、建築物の免震性を向上させることができる。弾性緩衝材７５、６９及び７１のうちの一部のみを適用した場合であっても、相応の効果が得られる。
【００９９】
（実施の形態４）
図１０は、本発明の実施の形態４による面構成体について、その右端部付近の構成を例示する平面断面図である。この面構成体１０４は、実施の形態２による面構成体１０２において、ボルト５７の頭部からボルト５７が螺合する雌ねじ部材９３に至る部材の間の境界面に、弾性緩衝材１５３、９９及び１５５が介挿された構造を有している。更に、長尺材４１と連結材４９との間の境界面のうち、長尺材４１の長手方向に直交する面にも、弾性緩衝材１５１が介挿されている。これらの弾性緩衝材１５３、９９、１５５及び１５１は、例えば防振ゴム製のシートである。
【０１００】
弾性緩衝材１５３、９９及び１５５は、面構成体１０３の弾性緩衝材７５、６９及び７１について述べたところと同様の効果を奏する。弾性緩衝材１５１により、長尺材４１の長手方向に交差する面構成体１０４の断面上の剪断応力及び圧縮応力も緩和される。そのため、本構成による面構成体１０４を建築物の壁面などに使用することにより、建築物の免震性を更に向上させることができる。
【０１０１】
（実施の形態５）
図１１は、本発明の実施の形態５による面構成体について、その右下端部付近の構成を例示する右側面図である。この面構成体１０５は、実施の形態１による面構成体１０１において、雌ねじ部材１３と連結材３との間、及び雌ねじ部材１３と土台２３との間の境界面に弾性緩衝材１６１が介挿され、さらに、連結材３と土台２３との間の境界面に弾性緩衝材１５９が介挿された構造を有している。これらの弾性緩衝材１６１及び１５９は、例えば防振ゴム製のシートである。
【０１０２】
弾性緩衝材１６１は、面構成体１０３の弾性緩衝材７５、６９及び７１について述べたところと同様の効果を奏する。弾性緩衝材１５９により、長尺材１の配列方向に交差する面構成体１０５の断面上の剪断応力及び圧縮応力も緩和される。そのため、本構成による面構成体１０５を建築物の壁面などに使用することにより、建築物の免震性を更に向上させることができる。
【０１０３】
（実施の形態６）
図１２は、本発明の実施の形態６による面構成体の構成を例示する図であり、（ａ）は当該面構成体に適用される接続材の一例を示す斜視図であり、（ｂ）は当該面構成体の一部構成を例示する側面断面図であり、（ｃ）は当該面構成体に適用される接続材の別の一例を示す断面図である。図１２（ｂ）は、垂直方向を水平方向に変えて、当該面構成体を表している。この面構成体１０６は、実施の形態２による面構成体１０２において、接続材４３に代えて、接続材１７１又は１８１が適用された構造を有している。
【０１０４】
接続材１７１は、隣り合う長尺材４１の互いに向き合う溝４５に、両端部が挿入される第１の板状部１７３と、溝４５の開口縁部に当接する位置において第１の板状部１７３に直交するように面構成体１０６の裏側に延びる第２の板状部１７５と、同じく溝４５の開口縁部に当接する位置において第１の板状部１７３に直交するように面構成体１０６の表側に延びる第３の板状部１７７とを有している。それにより接続材１７１は、長尺材４１の長手方向から見た断面において、おおよそ「サ」字状を成す長尺の部材として形成されている。更に、第１の板状部１７３は、一対の第２の板状部１７５及び一対の第３の板状部１７７に挟まれた中央部分に伸縮部１７８を有している。伸縮部１７８は、長手方向から見た断面形状が弧状を成すように湾曲している。第２の板状部１７５及び第３の板状部１７７は、本発明の接続材が有する「突出部」の一具体例に該当する。接続材１７１は、一例としてプラスチック製或いは金属製である。
【０１０５】
第２の板状部１７５及び第３の板状部１７７は、長尺材４１の溝４５の開口縁部に当接することにより、溝４５の開口部を覆うので、溝４５の中に雨滴が侵入することを防止することができる。さらに、接続材１７１は伸縮部１７９により、長尺材４１の配列方向に弾性的に伸縮可能である。このため、長尺材４１に木材を使用した一例において、長尺材４１が経年的に収縮することがあっても、接続材１７１と長尺材４１との間に隙間が生じることにより当該隙間を通じて風雨が漏れる、という不都合が回避される。特に、長尺材４１の経年的な収縮があっても、第２の板状部１７５及び第３の板状部１７７が、溝４５の開口縁部へ当接し続けるので、雨滴が溝４５の中に侵入することを、継続的に防ぐことができる。
【０１０６】
接続材１７１に代えて接続材１８１を面構成体１０６に適用しても良い。接続材１８１は接続材１７１において、伸縮部１７８に代えて伸縮部１７９が採用された構造を有している。伸縮部１７９は、長手方向から見た断面形状が「く」字状を成すように屈曲している。伸縮部１７９は伸縮部１７８と同様に、接続材１８１が長尺材４１の配列方向に弾性的に伸縮することを可能にする。このため接続材１８１は、接続材１７１について述べた効果と同等の効果を奏する。
【０１０７】
なお、接続材１７１及び接続材１８１は、弾性的に伸縮することは、必ずしも要せず、塑性的に伸縮するものであっても良い。長尺材４１の溝４５の中に挿入された第１の板状部１７３が、溝４５の壁面に接着剤等により固定されておれば、長尺材４１に収縮等の変形があっても、接続材１７１及び１８１は、当該変形に追随して、長尺材４１の配列方向に伸縮する。このため、接続材１７１及び１８１について上に述べた効果と同等の効果が得られる。
【０１０８】
（実施の形態７）
図１３は、本発明の実施の形態７による面構成体の構成を例示する図であり、（ａ）は当該面構成体に適用される接続材の一例を示す斜視図であり、（ｂ）は当該面構成体の一部構成を例示する側面断面図であり、（ｃ）は当該面構成体に適用される接続材の別の一例を示す断面図である。図１３（ｂ）は、垂直方向を水平方向に変えて、当該面構成体を表している。この面構成体１０７は、実施の形態２による面構成体１０２において、接続材４３に代えて、接続材１８３又は１９１が適用された構造を有している。
【０１０９】
接続材１８３は、板状部１８５と、当該板状部１８５のうち長尺材４１の溝４５に挿入される両端部に形成された戻り止め１８７とを有することにより、長尺材４１の長手方向から見た断面において双方向矢印状を成す長尺の部材として形成されている。接続材１８３は、一例としてプラスチック製或いは金属製である。
【０１１０】
戻り止め１８７は、接続材１８３の両端部が長尺材４１の溝４５へ挿入されるのを可能にすると共に、逆戻りを制止する働きをなす。このため、長尺材４１が木製である一例において、長尺材４１が経年的に収縮することがあっても、接続材と長尺材との間に隙間が生じ、当該隙間を通じて風雨が漏れることを防ぐことができる。接続材１８３に、実施の形態６における伸縮部１７８又は１７９を付加すると、長尺材４１の変形に伴う溝４５の動きに、戻り止め１８７が追随し易いという利点が得られる。また、接続材１８３に実施の形態６における第２の板状部１７５及び第３の板状部１７７を付加することにより、雨滴が溝４５の中に侵入することを防止することができる。
【０１１１】
接続材１８３に代えて接続材１９１を面構成体１０７に適用しても良い。接続材１９１は、板状部１９３と、当該板状部１９３のうち長尺材４１の溝４５に挿入される両端部に形成された戻り止め１９５と、を有する長尺の部材として形成されている。接続材１９１は、一例としてプラスチック製或いは金属製である。戻り止め１９５は、板状部１９３の表面に爪状の突起の列として形成されており、それにより接続材１９１の両端部が長尺材４１の溝４５へ挿入されるのを可能にすると共に、逆戻りを制止する働きをなす。従って、接続材１９１は、接続材１８３について述べたところと同等の効果を奏する。戻り止め１９５は、一例として、板状の部材をプレス加工機に架け、戻り止め１９５を形成すべき部位において、一方主面から他方主面に打ち抜くことにより形成される。
【０１１２】
さらに、接続材１８３に代えて、図１４の斜視図に示す接続材２０１を面構成体１０７に適用しても良い。接続材２０１は、板状部２０３と、当該板状部２０３のうち長尺材４１の溝４５に挿入される両端部に形成された戻り止め２０５とを有する長尺の部材として形成されている。戻り止め２０５は、長尺材４１の長手方向に沿って、一定間隔毎に戻り止め１８７（図１３（ａ））を残した形状を有している。接続材２０１は、一例としてプラスチック製或いは金属製である。接続材２０１は戻り止め２０５を有するので、接続材１８３について述べたところと同等の効果を奏する。
【０１１３】
（実施の形態８）
図１５は、本発明の実施の形態８による面構成体の構成を例示する図であり、（ａ）は当該面構成体に適用される接続材の一例を示す斜視図であり、（ｂ）は当該面構成体の一部構成を例示する側面断面図である。図１５（ｂ）は、垂直方向を水平方向に変えて、当該面構成体を表している。この面構成体１０８は、実施の形態７による面構成体１０７において、接続材１８３に代えて、接続材２１１が適用された構造を有している。接続材２１１は、板状部２１３と、当該板状部２１３のうち長尺材４１の溝４５に挿入される両端部に形成された戻り止め２１５と、を有する長尺の部材として形成されている。接続材２１１は、一例としてプラスチック製或いは金属製である。
【０１１４】
戻り止め２１５は、板状部２１３の両端を折り返して成る返り部として形成されており、それにより接続材２１１の両端部が長尺材４１の溝４５へ挿入されるのを可能にすると共に、逆戻りを制止する働きをなす。従って、接続材２１１は、実施の形態７における接続材１８３について述べたところと同等の効果を奏する。また、板状部２１３の両端を折り返すことによって、戻り止め２１５が形成されるので、接続材２１１は製造が容易であるという利点を有している。
【０１１５】
（実施の形態９）
図１６は、本発明の実施の形態９による面構成体の構成を例示する図であり、（ａ）は当該面構成体に適用される接続材の一例を示す斜視図であり、（ｂ）は当該面構成体の一部構成を例示する側面断面図である。図１６（ｂ）は、垂直方向を水平方向に変えて、当該面構成体を表している。この面構成体１０９は、実施の形態７による面構成体１０７において、接続材１８３に代えて、接続材２２１が適用された構造を有している。接続材２２１は、長尺の板状部２２３を有しており、当該板状部２２３のうち長尺材４１の溝４５に挿入される両端部には、長尺材４１の長手方向に沿って並ぶ貫通孔２２４の列が形成されている。接続材２２１は、一例としてプラスチック製或いは金属製である。
【０１１６】
貫通孔２２４に接着剤２２５を充填した上で、接続材２２１の幅方向両端部が長尺材４１の溝４５の中に挿入される。接着剤２２５は、貫通孔２２４の中に残留しつつ固化するとともに、溝４５の側壁面に固着する。その結果、固化した接着剤２２５が接続材２２１の抜け止めとして機能する。このため、長尺材４１に木材を使用した一例において、長尺材４１が経年的に収縮することがあっても、接続材２２１と長尺材４１との間に隙間が生じることにより当該隙間を通じて風雨が漏れる、という不都合が回避される。このように貫通孔２２４は、接着剤２２５を適用することにより、実施の形態７等に例示した戻り止め１８７等と同様の機能を果たす。板状部２２３の両端部に貫通孔２２４の列を形成することによって、接続材２２１が出来上がるので、接続材２１１は製造が容易であるという利点を有している。接着剤２２５に代えて、接着剤２２５と同様に、硬化することにより接着性を発揮するシール剤を用いても良い。
【０１１７】
貫通孔２２４の径は、充填する接着剤２２５の粘性及び板状部２２３の厚さを考慮して、接着剤２２５が貫通孔２２４に都合良く充填される大きさに設定すると良い。また、貫通孔２２４は、板状部２２３の両端部の各々において、図１６に例示したように１列に配置しても良く、複数列に配置しても良い。また、貫通孔２２４に代えて、有底の穴を採用しても良い。さらに、貫通孔２２４に代えて、長手方向に沿った溝を採用しても良い。
【０１１８】
（実施の形態１０〜１２）
図１７は、本発明の実施の形態１０〜１２による面構成体の各々の一部構成を例示する断面図である。これらの面構成体１１０〜１１２は何れも、長尺材２３１、２４１、２４７が長尺の板状であり、しかも隣り合う長尺材２３１同士、又は隣り合う長尺材２４１と長尺材２４７の間に、間隙が設けられないという点で、面構成体１０１〜１１１とは異なっている。かかる面構成体１１０〜１１２は、例えば建築物の床への利用に適している。長尺材２３１、２４１、２４７は、一例として木製である。
【０１１９】
面構成体１１０（図１７（ａ））では、一例として、隣り合う長尺材２３１の対向する面に開口する溝２３３に、図１３に例示した接続材１８３が挿入されている。面構成体１１１（図１７（ｂ））では、一例として、隣り合う長尺材２４１及び２４７の対向する面の一方には凸部２４５が形成され、他方には凸部２４５に密着する凹部２４６が形成されている。隣り合う一方の長尺材２４１には、凸部２４５の中央部に開口するように溝２４３が形成されている。同様に、隣り合う他方の長尺材２４７には、凹部２４６の中央部に開口するように溝２４９が形成されている。これらの溝２４３及び２４９には、一例として、図７に例示した接続材４３が挿入されている。面構成体１１２（図１７（ｃ））では、面構成体１１１の長尺材２４１及び２４７の溝２４３及び２４９に、一例として、図１５に例示した接続材２１１が挿入されている。
【０１２０】
これらの例のように、本発明の面構成体として、隣り合う長尺材の間に間隙のない形態を実施することも可能である。面構成体１１１及び１１２に例示するように、凸部２４５と凹部２４６との嵌め合い構造を採ることにより、一例として床板である長尺材２４１及び２４７の間に位置ずれ又は間隙が生じるのを、より効果的に抑えることができる。
【０１２１】
（実施の形態１３）
図１８は、本発明の実施の形態１３よる面構成体の構成を例示する図であり、（ａ）は当該面構成体に適用される接続材の一例を示す斜視図であり、（ｂ）は当該面構成体の一部構成を例示する側面断面図である。図１８（ｂ）は、垂直方向を水平方向に変えて、当該面構成体を表している。この面構成体１１３では、長尺材２６１が、断面矩形の板材又は角材として形成されており、一例として木製である。さらに、互いに隣接する長尺材２６１の互いに向き合う平坦面に開口する溝２６２には、接続材２５１が挿入されている。
【０１２２】
接続材２５１は、隣り合う長尺材２６１の互いに向き合う溝２６２に挿入される第１の板状部２５３と、第１の板状部２５３に直交するようにその中心から面構成体１１３の裏側に延びる第２の板状部２５５と、同じく第１の板状部２５３に直交するようにその中心から面構成体１１３の表側に延びる第３の板状部２５７と、を有している。それにより接続材２５１は、長尺材２６１の長手方向から見た断面において、おおよそ「十」字状を成す長尺の部材として形成されている。第２の板状部２５５は、互いに隣接する長尺材２６１に挟まれ、かつ長尺材２６１の裏側にまで延びている。同様に、第３の板状部２５７は、互いに隣接する長尺材２６１に挟まれ、かつ長尺材２６１の表側には至らない長さに止まっている。第２の板状部２５５及び第３の板状部２５７は、本発明の接続材が有する「突出部」の一具体例に該当する。長尺材２６１は、接続材２５１の第２の板状部２５５及び第３の板状部２５７の厚さに相当する間隙２６３をもって、並列配置されている。接続材２５１は、一例として木製、プラスチック製或いは金属製である。なお、実施の形態１の接続材１９は、接続材２５１から板状部２５７を除去したものに相当する。
【０１２３】
接続材２５１は、実施の形態１の接続材１９（図４）と同様に、第１の板状部２５３及び第２の板状部２５５を有しているので、接続材１９について述べたところと同等の効果を奏する。さらに、接続材２５１の第２の板状部２５５及び第３の板状部２５７は、互いに隣接する長尺材２６１の双方の溝２６２の開口縁部に当接することにより、双方の溝２６２を覆う。このため、実施の形態６の接続材１７１（図１２）と同様に、接続材２５１は溝２６２の中に雨滴が侵入することを防止する。なお、第３の板状部２５７は、長尺材２６１の表側にまで延びた形状であっても良い。
【０１２４】
（実施の形態１４）
図１９は、本発明の実施の形態１４による面構成体について、その部材を部分的に切除しつつ、全体を代表して右端部付近の構成を例示する背面斜視図である。この面構成体１１４は、実施の形態１の面構成体１０１（図３）において、連結材３に代えて連結材１７３を採用し、土台２３に代えて土台２７１を採用し、梁３０に代えて梁２７３を採用した構造を有している。連結材１７３、土台２７１及び梁２７３は金属製であり、一例として溶接によって互いに連結されている。連結材１７３には、連結材３と同様に溝１１が形成されており、土台２７１には、土台２３と同様に、溝２５及び溝２６が形成されている。梁２７３にも、梁３０と同様に、溝２５及び溝２６が形成されている。
【０１２５】
連結材１７３には、溝１１の側壁のうち長尺材１に近い側の側壁に、ボルト１５と螺合するねじ孔が形成されている。すなわち、面構成体１０１とは異なり、雌ねじ部材１３を採用することなく、連結材１７３はボルト１５により、配列する長尺材１に直接に締結されている。土台２７１及び梁２７３の各々においても、溝２５の側壁のうち表側に近い方の側壁に、ボルト３１と螺合するねじ孔が形成されている。すなわち、面構成体１０１とは異なり、雌ねじ部材１３の延長部分を利用することなく、座金部材２７の左右端部は、ボルト３１により、土台２７１及び梁２７３に直接に締結されている。
【０１２６】
さらに、土台２７１及び梁２７３の各々において、溝２６の側壁のうち表側に近い方の側壁に、ボルト２２と螺合するねじ孔が形成されている。すなわち、面構成体１０１とは異なり、雌ねじ部材２４を採用することなく、座金部材２７の左右端部を除いた部分は、ボルト２２により、土台２７１及び梁２７３に直接に締結されている。  この面構成体１１４は、別体の雌ねじ部材１３及び２４（図３参照）を要しないので、部品点数を節減することができ、さらに、面構成体１１４を組み立てる工程も、簡素なものとなる。
【０１２７】
（実施の形態１５）
図２０は、本発明の実施の形態１５による面構成体と、当該面構成体と同様の構成を有する別の面構成体とを互いに連結して成る複合面構成体の主要部について、その連結部付近の構成を例示する上面斜視図である。図２０に例示する面構成体１１５Ａ及び面構成体１１５Ｂは、何れも実施の形態２による面構成体１０２と類似した構成を有している。
【０１２８】
面構成体１１５Ａは、水平方向に延在し垂直方向に配列する多数の長尺材３０１を有している。同様に、面構成体１１５Ｂは、水平方向に延在し垂直方向に配列する多数の長尺材３３１を有している。図２０には、配列する多数の長尺材３０１及び３３１のうち、互いに連結された最上段の一組のみを代表して示している。長尺材３０１及び３３１は、一例として木製であり、かつ一例として、長尺材４１（図８）とは異なり角材である。
【０１２９】
配列する長尺材３０１の長手方向端部の裏側には、切欠３０９が形成されており、この切欠３０９に連結材３０３が配置されている。配列する長尺材３３１の長手方向端部の裏側にも、切欠３３９が形成されており、連結材３０３は、この切欠３０９にも配置されている。すなわち、面構成体１１５Ａ及び１１５Ｂは、連結材３０３を共有している。連結材３０３は、一例として木製の長尺の角材である。
【０１３０】
長尺材３０１及び３３１の上面には、長尺材４１（図８）と同様に、座金部材６３の下端部が挿入される溝３２１及び３５１が、それぞれ形成されている。長尺材３３１の下面には、長尺材４１（図８）と同様に、接続部材４３の上端部が挿入される溝３４７が形成されている。長尺材３０１の下面にも、同様の溝（図示略）が形成されている。長尺材３３１に形成された切欠３３９は、長尺材４１（図８）の切欠４７と同様に、溝３５１及び３４７の表側（それぞれ面構成体１１５Ａ及び１１５Ｂの表側）の側壁面に達している。長尺材３０１に形成された切欠３０９も同様である。
【０１３１】
連結材３０３には、長尺材３０１の長手方向に沿った連結材３０３の端面とは反対側の端面、すなわち長尺材３０１の長手方向中央部を向く連結材３０３の端面に開口するように、溝３１１が形成されている。連結材３０３にはさらに、長尺材３３１の長手方向に沿った連結材３０３の端面とは反対側の端面、すなわち長尺材３３１の長手方向中央部を向く連結材３０３の端面に開口するように、溝３４１が形成されている。溝３１１及び溝３４１は、何れも一例として長手方向から見た断面の形状が「コ」字状ないし「Ｕ」字状を成している。それにより、溝３１１の表側（面構成体１１５Ａの表側）の側壁面は、長尺材３０１の長手方向及び配列方向に平行となっている。この側壁面に、雌ねじ部材３１３が配置されている。同様に、溝３４１の表側（面構成体１１５Ｂの表側）の側壁面は、長尺材３３１の長手方向及び配列方向に平行となっている。この側壁面に、雌ねじ部材３４３が配置されている。雌ねじ部材３１３及び３４３は、一例として、金属製かつ帯板状の部材である。雌ねじ部材３１３は、一例として、配列する長尺材３０１の全てに跨るように連続している。同じく、雌ねじ部材３４３は、一例として、配列する長尺材３３１の全てに跨るように連続している。
【０１３２】
雌ねじ部材３１３には、各長尺材３０１に対応する部位に雌ねじ（図示略）が形成されている。雌ねじ部材３１３は、長尺材３０１の表側から挿通されたボルト３１５と螺合することにより、配列する長尺材３０１を連結材３０３に締結する働きをなす。それにより、配列する長尺材３０１が、連結材３０３を通じて互いに固定される。同様に、雌ねじ部材３４３には、各長尺材３３１に対応する部位に雌ねじ（図示略）が形成されている。雌ねじ部材３４３は、長尺材３３１の表側から挿通されたボルト３４５と螺合することにより、配列する長尺材３３１を連結材３０３に締結する働きをなす。それにより、配列する長尺材３３１が、連結材３０３を通じて互いに固定される。
【０１３３】
長尺材３０１の長手方向端部の表側には溝３０５が形成されており、ボルト３１５の頭部は、溝３０５の底面に配置された座金部材３０７に当接している。ボルト３１５は、座金部材３０７及び長尺部材３０１に形成されたボルト挿通孔（図示略）を貫通し、さらに連結材３０３に形成されたボルト挿通孔３１９を貫通することにより、雌ねじ部材３１３に螺合する。同様に長尺材３３１の長手方向端部の表側には溝３３５が形成されており、ボルト３４５の頭部は、溝３３５の底面に配置された座金部材３３７に当接している。ボルト３４５は、座金部材３３７及び長尺部材３３１に形成されたボルト挿通孔（図示略）を貫通し、さらに連結材３０３に形成されたボルト挿通孔３４９を貫通することにより、雌ねじ部材３４３に螺合する。溝３０５及び３３５は、ボルト３１５及び３４５の頭部を覆うカバー部材等（図示略）を設置するのに便宜である。
【０１３４】
以上のように、面構成体１１５Ａと面構成体１１５Ｂは、連結材３０３を共有することにより互いに連結され、それにより複合面構成体１１５Ｃを形成している。２枚の面構成体１１５Ａ及び１１５Ｂは、それらが構成する面同士が互いに直交するように連結される。しかも、ボルト３１５を雌ねじ部材３１３に締結し、ボルト３４５を雌ねじ部材３４３に締結するという、簡単な作業工程を通じて、面構成体１１５Ａ及び１１５Ｂの堅固な接続が実現する。複合面構成体１１５Ｃは、例えば、建築物の同一階の交差する壁面を構成するのに適している。
【０１３５】
（その他の実施の形態）
実施の形態１の面構成体１０１では、互いに隣接する長尺部材１の互いに向き合う面に形成された一対の溝１７は、互いに向き合う位置に形成された。これに対して、互いに向き合う位置からずれた位置に、溝１７を形成することも可能である。このことは、他の実施の形態においても同様である。
【０１３６】
上記実施の形態では、雌ねじ部材１３、２４、３３、９３、３１３、３４３に、表裏を貫通するねじ孔が形成された例を示した。しかしながら、これらの雌ねじ部材は、貫通しないねじ穴を含めて、一般に雌ねじが形成されておれば、対応するボルトと螺合し、所要の締結機能を果たすことが可能である。同様のことは、連結材１７３、土台２７１及び梁２７３（図１９）にも当てはまる。また、雌ねじ部材１３、３３、９３、３１３、３４３には、長尺材１、４１、２３１、２４１、２４７、２６１、３０１、３３１に対応して、ねじ孔が１個ずつ形成された例を示した。これに対して、これらの雌ねじ部材は、長尺材ごとに複数の雌ねじを有し、複数のボルトと螺合するものであっても良い。同様のことは、連結材１７３（図１９）にも当てはまる。
【０１３７】
切欠２１に端部が挿入される座金部材２７（図２、図１９）、及び溝６２に端部が挿入される座金部材（図８）についても、接続部材１７１、１８１、１８３、１９１、２０１、２１１、２２１に例示した、伸縮部１７８、１７９、戻り止め１８７、１９５、２０５、２１５、貫通孔２２４、及び表側へ延びる突出部１７７、２５７を、形成しても良い。
【符号の説明】
【０１３８】
１０１、１０１Ａ、１０１Ｂ、１０２〜１１４、１１５Ａ、１１５Ｂ  面構成体
１、４１、２３１、２４１、２４７、２６１、３０１、３３１  長尺材
３、４９、１７３、３０３、３３３  連結材
１３、３３、９３、３１３、３４３  雌ねじ部材
１７、４５、２３３、２４３、２４９、２６２、３４７  溝（第１溝）
１１、５１、１７５、３１１、３４１  溝（第２溝）
３４１  溝（第３溝）
５、５３、３０５、３３５  溝（第４溝）
４７、３０９、３３９  切欠（第１切欠）
１５、５７、３１５、３４９  ボルト（締結ねじ）
３１、６５  ボルト（別の締結ねじ）
１８、４３、１７１、１８１、１８３、１９１、２０１、２１１、２２１、２５１  接続材
２３、５９、２７１  土台（構造材）
２５、６０、２７３  梁（構造材）
６９、７１、７５、９９、１５３、１５５、１６１  弾性緩衝材（第１弾性緩衝材）
１５１  弾性緩衝材（第２弾性緩衝材）
１６、１７５、２５５  第２の板状部（突出部）
１７７、２５７  第３の板状部（突出部）
１７８、１７９  伸縮部
１８７、１９５、２０５、２１５  戻り止め
２２４  貫通孔（後退部）
【図１】
2013047411.tif 000003
【図２】
2013047411.tif 000004
【図３】
2013047411.tif 000005
【図４】
2013047411.tif 000006
【図５】
2013047411.tif 000007
【図６】
2013047411.tif 000008
【図７】
2013047411.tif 000009
【図８】
2013047411.tif 000010
【図９】
2013047411.tif 000011
【図１０】
2013047411.tif 000012
【図１１】
2013047411.tif 000013
【図１２】
2013047411.tif 000014
【図１３】
2013047411.tif 000015
【図１４】
2013047411.tif 000016
【図１５】
2013047411.tif 000017
【図１６】
2013047411.tif 000018
【図１７】
2013047411.tif 000019
【図１８】
2013047411.tif 000020
【図１９】
2013047411.tif 000021
【図２０】
2013047411.tif 000022